(57)【要約】【課題】予め定められた処理を実行する際の条件として、特定の単位毎に設定される条件のみを取得する構成と比較して、予め定められた処理を実行する際の条件を変更する操作者の操作を軽減する。【解決手段】画像処理装置１００は、予め定められた処理を実行する際の条件であって、第１の単位毎に設定される第１の条件を、パラメータ記憶部１１４から取得する第１パラメータ取得部１１５と、第１の単位とは異なる第２の単位毎に設定される第２の条件を外部装置から取得する第２パラメータ取得部１１６と、第１の条件及び第２の条件の何れかの条件を基に予め定められた処理を実行する実行制御部１１７とを備える。【選択図】図４
2019077071.tif 000002
【特許請求の範囲】
【請求項１】
予め定められた処理を実行する際の条件であって、第１の単位毎に設定される第１の条件を、自装置から取得する第１取得手段と、
前記第１の単位とは異なる第２の単位毎に設定される第２の条件を外部装置から取得する第２取得手段と、
前記第１の条件又は前記第２の条件の何れかの条件を基に前記予め定められた処理を実行する実行手段と
を備える情報処理装置。
【請求項２】
前記第１の単位は、前記第２の単位よりも小さいこと
を特徴とする請求項１に記載の情報処理装置。
【請求項３】
前記第１の単位の対象となる情報処理装置の数は、前記第２の単位の対象となる情報処理装置の数より少ないこと
を特徴とする請求項２に記載の情報処理装置。
【請求項４】
前記第１の単位の対象となる操作者の数は、前記第２の単位の対象となる操作者の数より少ないこと
を特徴とする請求項２に記載の情報処理装置。
【請求項５】
前記第１の単位は、情報処理装置個別の単位であり、
前記第２の単位は、複数の情報処理装置に共通の単位であること
を特徴とする請求項１に記載の情報処理装置。
【請求項６】
前記第２の単位は、前記複数の情報処理装置で共通に用いられる前記外部装置の領域であって、前記予め定められた処理の処理結果が格納される領域単位であること
を特徴とする請求項５に記載の情報処理装置。
【請求項７】
前記第１の条件は、自装置に対して入力される情報により設定される条件であり、
前記第２の条件は、前記外部装置に対して入力される情報により設定される条件であること
を特徴とする請求項１に記載の情報処理装置。
【請求項８】
前記第１の条件を設定する権限が付与される操作者と前記第２の条件を設定する権限が付与される操作者とは別の操作者であること
を特徴とする請求項７に記載の情報処理装置。
【請求項９】
前記第１の条件又は前記第２の条件の何れの条件を使用するかの選択を操作者から受け付ける受付手段をさらに備えること
を特徴とする請求項１に記載の情報処理装置。
【請求項１０】
前記実行手段が前記予め定められた処理を実行する前に、前記操作者に選択された条件を表示する表示手段をさらに備え、
前記受付手段は、前記表示手段に表示された条件を変更する操作者の操作を受け付け、
前記実行手段は、操作者による変更後の条件によって前記予め定められた処理を実行すること
を特徴とする請求項９に記載の情報処理装置。
【請求項１１】
予め定められた処理を実行する際の条件であって、第１の単位毎に設定される第１の条件を、自装置から取得する第１取得手段と、
前記第１の単位とは異なる第２の単位毎に設定される第２の条件を外部装置から取得する第２取得手段と、
前記第１の条件又は前記第２の条件の何れかの条件を基に前記予め定められた処理を実行する実行手段と
を備える情報処理システム。
【請求項１２】
コンピュータに、
予め定められた処理を実行する際の条件であって、第１の単位毎に設定される第１の条件を、自装置から取得する機能と、
前記第１の単位とは異なる第２の単位毎に設定される第２の条件を外部装置から取得する機能と、
前記第１の条件又は前記第２の条件の何れかの条件を基に前記予め定められた処理を実行する機能と
を実現させるためのプログラム。
【発明の詳細な説明】
【技術分野】
【０００１】
本発明は、情報処理装置、情報処理システム及びプログラムに関する。
【背景技術】
【０００２】
例えば、特許文献１には、原稿画像をプレスキャンし、その画像データを処理して識別子ＩＤを認識し、この識別子ＩＤに対応するスキャンパラメータをサーバから受信し、これに基づいて原稿画像を本スキャンする画像形成装置が開示されている。
【先行技術文献】
【特許文献】
【０００３】
【特許文献１】特開２０１０−２５２２２９号公報
【発明の概要】
【発明が解決しようとする課題】
【０００４】
予め定められた処理を実行する際の条件を特定の装置から取得し、取得した条件に基づいて処理を実行する場合がある。例えば、特定の装置から取得した条件とは異なる条件で処理を実行する場合には、取得した条件を変更する操作者の操作が必要になる。そのため、操作者の操作を軽減するには、特定の装置から取得した条件以外の条件も取得できた方が望ましい。
本発明の目的は、予め定められた処理を実行する際の条件として、特定の単位毎に設定される条件のみを取得する構成と比較して、予め定められた処理を実行する際の条件を変更する操作者の操作を軽減することにある。
【課題を解決するための手段】
【０００５】
請求項１に記載の発明は、予め定められた処理を実行する際の条件であって、第１の単位毎に設定される第１の条件を、自装置から取得する第１取得手段と、前記第１の単位とは異なる第２の単位毎に設定される第２の条件を外部装置から取得する第２取得手段と、前記第１の条件又は前記第２の条件の何れかの条件を基に前記予め定められた処理を実行する実行手段とを備える情報処理装置である。
請求項２に記載の発明は、前記第１の単位は、前記第２の単位よりも小さいことを特徴とする請求項１に記載の情報処理装置である。
請求項３に記載の発明は、前記第１の単位の対象となる情報処理装置の数は、前記第２の単位の対象となる情報処理装置の数より少ないことを特徴とする請求項２に記載の情報処理装置である。
請求項４に記載の発明は、前記第１の単位の対象となる操作者の数は、前記第２の単位の対象となる操作者の数より少ないことを特徴とする請求項２に記載の情報処理装置である。
請求項５に記載の発明は、前記第１の単位は、情報処理装置個別の単位であり、前記第２の単位は、複数の情報処理装置に共通の単位であることを特徴とする請求項１に記載の情報処理装置である。
請求項６に記載の発明は、前記第２の単位は、前記複数の情報処理装置で共通に用いられる前記外部装置の領域であって、前記予め定められた処理の処理結果が格納される領域単位であることを特徴とする請求項５に記載の情報処理装置である。
請求項７に記載の発明は、前記第１の条件は、自装置に対して入力される情報により設定される条件であり、前記第２の条件は、前記外部装置に対して入力される情報により設定される条件であることを特徴とする請求項１に記載の情報処理装置である。
請求項８に記載の発明は、前記第１の条件を設定する権限が付与される操作者と前記第２の条件を設定する権限が付与される操作者とは別の操作者であることを特徴とする請求項７に記載の情報処理装置である。
請求項９に記載の発明は、前記第１の条件又は前記第２の条件の何れの条件を使用するかの選択を操作者から受け付ける受付手段をさらに備えることを特徴とする請求項１に記載の情報処理装置である。
請求項１０に記載の発明は、前記実行手段が前記予め定められた処理を実行する前に、前記操作者に選択された条件を表示する表示手段をさらに備え、前記受付手段は、前記表示手段に表示された条件を変更する操作者の操作を受け付け、前記実行手段は、操作者による変更後の条件によって前記予め定められた処理を実行することを特徴とする請求項９に記載の情報処理装置である。
請求項１１に記載の発明は、予め定められた処理を実行する際の条件であって、第１の単位毎に設定される第１の条件を、自装置から取得する第１取得手段と、前記第１の単位とは異なる第２の単位毎に設定される第２の条件を外部装置から取得する第２取得手段と、前記第１の条件又は前記第２の条件の何れかの条件を基に前記予め定められた処理を実行する実行手段とを備える情報処理システムである。
請求項１２に記載の発明は、コンピュータに、予め定められた処理を実行する際の条件であって、第１の単位毎に設定される第１の条件を、自装置から取得する機能と、前記第１の単位とは異なる第２の単位毎に設定される第２の条件を外部装置から取得する機能と、前記第１の条件又は前記第２の条件の何れかの条件を基に前記予め定められた処理を実行する機能とを実現させるためのプログラムである。
【発明の効果】
【０００６】
請求項１記載の発明によれば、予め定められた処理を実行する際の条件として、特定の単位毎に設定される条件のみを取得する構成と比較して、予め定められた処理を実行する際の条件を変更する操作者の操作を軽減することができる。
請求項２記載の発明によれば、予め定められた処理を実行する際の条件を第２の単位で設定できるとともに、第２の単位よりも小さい第１の単位で設定することができる。
請求項３記載の発明によれば、予め定められた処理を実行する際の条件を第２の単位で設定できるとともに、第２の単位の対象となる情報処理装置の数より少ない数の情報処理装置を対象とする第１の単位で設定することができる。
請求項４記載の発明によれば、予め定められた処理を実行する際の条件を第２の単位で設定できるとともに、第２の単位の対象となる操作者の数より少ない数の操作者を対象とする第１の単位で設定することができる。
請求項５記載の発明によれば、予め定められた処理を実行する際の条件を複数の情報処理装置に対して設定できるとともに、情報処理装置個別に設定することができる。
請求項６記載の発明によれば、予め定められた処理を実行する際の条件を、複数の情報処理装置の処理結果が格納される外部装置の領域単位に設定することができる。
請求項７記載の発明によれば、予め定められた処理を実行する際の条件として、異なる装置で設定された条件を使用することができる。
請求項８記載の発明によれば、一の操作者が外部装置において第２の条件を設定した場合であっても、他の操作者が自装置で第１の条件を設定することができる。
請求項９記載の発明によれば、第１の条件又は第２の条件の何れの条件を使用するかを操作者が選択することができる。
請求項１０記載の発明によれば、選択された条件を基に操作者が変更した条件によって予め定められた処理を実行することができる。
請求項１１記載の発明によれば、予め定められた処理を実行する際の条件として、特定の単位毎に設定される条件のみを取得する構成と比較して、予め定められた処理を実行する際の条件を変更する操作者の操作を軽減することができる。
請求項１２記載の発明によれば、予め定められた処理を実行する際の条件として、特定の単位毎に設定される条件のみを取得する構成と比較して、予め定められた処理を実行する際の条件を変更する操作者の操作を軽減する機能を、コンピュータにより実現できる。
【図面の簡単な説明】
【０００７】
【図１】本実施の形態に係る画像処理システムの全体構成例を示した図である。
【図２】本実施の形態に係る画像処理装置のハードウェア構成例を示す図である。
【図３】本実施の形態に係る情報管理サーバのハードウェア構成例を示す図である。
【図４】本実施の形態に係る画像処理装置の機能構成例を示したブロック図である。
【図５】情報管理サーバに画像データを格納する際の階層構造の一例について示した図である。
【図６】画像処理装置において第１パラメータを設定する処理手順の一例を示したフローチャートである。
【図７】画像処理装置におけるスキャン処理の実行手順の一例を示したフローチャートである。
【図８−１】（ａ），（ｂ）は、第１パラメータを設定する際に表示される画面の一例を示す図である。
【図８−２】（ｃ），（ｄ）は、第１パラメータを設定する際に表示される画面の一例を示す図である。
【図９−１】（ａ）〜（ｃ）は、第２パラメータを設定する際に表示される画面の一例を示す図である。
【図９−２】（ｄ），（ｅ）は、第２パラメータを設定する際に表示される画面の一例を示す図である。
【図１０−１】（ａ）〜（ｃ）は、スキャン処理を実行する際に表示される画面の一例を示す図である。
【図１０−２】（ｄ），（ｅ）は、スキャン処理を実行する際に表示される画面の一例を示す図である。
【発明を実施するための形態】
【０００８】
以下、添付図面を参照して、本発明の実施の形態について詳細に説明する。
【０００９】
＜画像処理システムの全体構成＞
まず、本実施の形態に係る画像処理システム１の全体構成について説明する。図１は、本実施の形態に係る画像処理システム１の全体構成例を示した図である。図示するように、この画像処理システム１では、画像処理装置１００ａ、１００ｂ、１００ｃ、操作端末２００、情報管理サーバ３００がネットワーク４００に接続される。
【００１０】
なお、図１では、画像処理装置１００ａ、１００ｂ、１００ｃを示したが、これらを区別する必要がない場合には画像処理装置１００と称する。また、図１には３つの画像処理装置１００しか示していないが、画像処理装置１００の数は図示の３つには限定されない。
【００１１】
情報処理装置の一例としての画像処理装置１００は、例えば、画像読み取り機能（スキャン機能）、印刷機能（プリント機能）、複写機能（コピー機能）及びファクシミリ機能等の各種の画像処理機能を備えた、いわゆる複合機である。詳しくは後述するが、この画像処理装置１００は、例えば画像読み取り（スキャン処理）等の予め定められた処理を実行する場合に、予め定められた処理を実行する際に用いられるパラメータ（以下、単に「パラメータ」と称する場合がある）を、情報管理サーバ３００から取得したり、自装置（画像処理装置１００）から取得したりする。そして、画像処理装置１００は、取得したパラメータに基づいて、予め定められた処理を実行する。
【００１２】
付言すると、情報管理サーバ３００や自装置から取得されるパラメータは、予め定められた処理を実行する際の条件の一例であり、言い換えると、予め定められた処理を実行する際に用いられるパラメータの初期値である。操作者が必要に応じてこのパラメータの初期値を変更することにより、画像処理装置１００は変更後のパラメータによって予め定められた処理を実行する。なお、以下では、自装置に保存されているパラメータを「第１パラメータ」、情報管理サーバ３００に保存されているパラメータを「第２パラメータ」と称する。本実施の形態では、第１の条件の一例として、第１パラメータが用いられる。また、第２の条件の一例として、第２パラメータが用いられる。
【００１３】
さらに説明すると、第１パラメータは、画像処理装置１００に対して入力される情報により設定されるパラメータである。また、第２パラメータは、情報管理サーバ３００に対して入力される情報により設定されるパラメータである。そして、第１パラメータと第２パラメータとは、設定される単位が異なる。言い換えると、第１パラメータが適用される対象（集合体）と、第２パラメータが適用される対象（集合体）とは異なる。
【００１４】
例えば、第２パラメータは、ネットワーク４００に接続された全ての画像処理装置１００に共通のパラメータとして設定される。この場合、第２パラメータが設定される単位は、ネットワーク４００に接続された全ての画像処理装置１００である。より具体的には、例えば、画像処理装置１００ａ、１００ｂ、１００ｃの各画像処理装置１００で共通の第２パラメータが使用される。一方、例えば、第１パラメータは、画像処理装置１００ａ、１００ｂ、１００ｃの各画像処理装置１００の個別のパラメータとして設定される。この場合、第１パラメータが設定される単位は、第２パラメータが設定される単位よりも小さい単位であり、各画像処理装置１００である。より具体的には、例えば、画像処理装置１００ａで設定された第１パラメータは、画像処理装置１００ａのみで使用される。
本実施の形態に係る画像処理装置１００は、このような第１パラメータ及び第２パラメータに基づいて予め定められた処理を実行する。
【００１５】
操作端末２００は、操作者が操作するために設けられたコンピュータ装置であり、例えば、ＰＣ（Personal Computer）、携帯情報端末等が例示される。操作者は、例えば、この操作端末２００から情報管理サーバ３００にアクセスして第２パラメータの設定を行い、設定した第２パラメータを情報管理サーバ３００に保存する。
【００１６】
外部装置の一例としての情報管理サーバ３００は、操作端末２００によって設定された第２パラメータを保存する。そして、情報管理サーバ３００は、例えば、画像処理装置１００が予め定められた処理を実行する際に、第２パラメータを画像処理装置１００に送信する。なお、情報管理サーバ３００は、操作端末２００を介さずに直接操作者からの入力を受け付けて第２パラメータを設定してもよい。情報管理サーバ３００としては、例えば、ＰＣ（Personal Computer）やワークステーション等が例示される。
【００１７】
ネットワーク４００は、画像処理装置１００と情報管理サーバ３００との間の情報通信や、操作端末２００と情報管理サーバ３００との間の情報通信等に用いられる通信手段である。ネットワーク４００としては、例えば、インターネットや公衆回線、ＬＡＮ（Local Area Network）等が例示される。
【００１８】
＜画像処理装置のハードウェア構成＞
次に、本実施の形態に係る画像処理装置１００のハードウェア構成について説明する。図２は、本実施の形態に係る画像処理装置１００のハードウェア構成例を示す図である。
【００１９】
図示するように、本実施の形態に係る画像処理装置１００は、制御部１１０と、ＨＤＤ（Hard Disk Drive）１２０と、操作パネル１３０と、画像読取部１４０と、画像形成部１５０と、通信インタフェース（以下、「通信Ｉ／Ｆ」と表記する）１６０とを備える。なお、これらの各機能部はバス１７０に接続されており、このバス１７０を介してデータの授受を行う。
【００２０】
制御部１１０は、画像処理装置１００の各部の動作を制御する。この制御部１１０は、ＣＰＵ（Central Processing Unit）１１０ａ、ＲＡＭ（Random Access Memory）１１０ｂ、ＲＯＭ（Read Only Memory）１１０ｃにより構成される。
ＣＰＵ１１０ａは、ＲＯＭ１１０ｃ等に記憶された各種プログラムをＲＡＭ１１０ｂにロードして実行することにより、画像処理装置１００における各機能を実現する。ＲＡＭ１１０ｂは、ＣＰＵ１１０ａの作業用メモリ等として用いられるメモリ（記憶部）である。ＲＯＭ１１０ｃは、ＣＰＵ１１０ａが実行する各種プログラム等を記憶するメモリ（記憶部）である。
【００２１】
ＨＤＤ１２０は、各種データを記憶する記憶部である。ＨＤＤ１２０には、例えば、画像読取部１４０の画像読み取りによって生成された画像データや、通信Ｉ／Ｆ１６０によって外部から受信した画像データ等が記憶される。さらに、ＨＤＤ１２０には、自装置にて設定されたパラメータが記憶される。
【００２２】
操作パネル１３０は、各種の情報を表示するとともに、操作者からの操作を受け付ける。この操作パネル１３０は、液晶ディスプレイ等で構成された表示パネル、表示パネルの上に配置され、操作者によりタッチされた位置を検出するタッチパネル、操作者により押下される物理キー等から構成される。そして、操作パネル１３０は、例えば、画像処理装置１００の操作画面等の各種画面を表示パネルに表示したり、タッチパネル及び物理キーにより操作者からの操作を受け付けたりする。
【００２３】
画像読取部１４０は、原稿台上にセットされた用紙等の記録材（原稿）に形成されている画像を読み取って（スキャンして）、読み取った画像を示す画像データを生成する。ここで、画像読取部１４０は、例えばスキャナーであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２４】
画像形成部１５０は、用紙等の記録材に画像を形成する印刷機構である。ここで、画像形成部１５０は、例えばプリンターであり、感光体に付着させたトナーを記録材に転写して像を形成する電子写真方式や、インクを記録材上に吐出して像を形成するインクジェット方式のものを用いるとよい。
【００２５】
通信Ｉ／Ｆ１６０は、ネットワーク４００を介して他の装置との間で各種データの送受信を行う通信インタフェースである。
【００２６】
そして、この画像処理装置１００では、制御部１１０による制御の下、画像読取部１４０によってスキャン機能が実現され、画像形成部１５０によってプリント機能が実現され、画像読取部１４０及び画像形成部１５０によってコピー機能が実現され、画像読取部１４０、画像形成部１５０及び通信Ｉ／Ｆ１６０によってファクシミリ機能が実現される。
【００２７】
＜情報管理サーバのハードウェア構成＞
次に、本実施の形態に係る情報管理サーバ３００のハードウェア構成について説明する。図３は、本実施の形態に係る情報管理サーバ３００のハードウェア構成例を示す図である。
【００２８】
図示するように、情報管理サーバ３００は、演算手段であるＣＰＵ３０１と、記憶手段であるメインメモリ３０２及び磁気ディスク装置３０３とを備える。ＣＰＵ３０１は、ＯＳ（Operating System）やアプリケーション等の各種プログラムを実行する。メインメモリ３０２は、各種プログラムやその実行に用いるデータ等を記憶する記憶領域である。また、磁気ディスク装置３０３は、各種プログラムや、各種プログラムに対する入力データ、各種プログラムからの出力データ等を記憶する記憶領域である。そして、ＣＰＵ３０１は、磁気ディスク装置３０３等に記憶された各種プログラムをメインメモリ３０２にロードして実行することにより、情報管理サーバ３００における各機能を実現する。
【００２９】
さらに、情報管理サーバ３００は、外部との通信を行うための通信インタフェース（通信Ｉ／Ｆ）３０４と、ビデオメモリやディスプレイ等からなる表示機構３０５と、キーボードやマウス等の入力デバイス３０６とを備える。
【００３０】
なお、図１に示す操作端末２００のハードウェア構成についても、一例として、図３に示すハードウェア構成と同様のものを用いることができる。
【００３１】
＜画像処理装置の機能構成＞
次に、本実施の形態に係る画像処理装置１００の機能構成について説明する。図４は、本実施の形態に係る画像処理装置１００の機能構成例を示したブロック図である。本実施の形態に係る画像処理装置１００は、操作受付部１１１、表示制御部１１２、パラメータ設定部１１３、パラメータ記憶部１１４、第１パラメータ取得部１１５、第２パラメータ取得部１１６、実行制御部１１７を備える。
【００３２】
操作受付部１１１は、例えばタッチパネルやマウスによって、操作者の操作を受け付ける。ここで、操作受付部１１１は、操作者の操作として、例えば、操作者が予め定められた処理を実行することを選択する操作や、操作者が第１パラメータを設定する操作等を受け付ける。また、操作受付部１１１は、予め定められた処理が実行される前に、第１パラメータ又は第２パラメータを初期値として、初期値を変更する操作者の操作を受け付ける。
【００３３】
表示制御部１１２は、操作パネル１３０のディスプレイ（表示パネル）に画像を表示させるためのデータを出力し、ディスプレイの表示を制御する。ここで、表示制御部１１２は、例えば、第１パラメータの設定を受け付ける画面（以下、パラメータ設定画面と称する）や、予め定められた処理の実行を受け付ける画面（以下、処理実行画面と称する）等をディスプレイに表示する。また、表示制御部１１２は、予め定められた処理が実行される前に、第１パラメータ又は第２パラメータを初期値として表示する。
【００３４】
パラメータ設定部１１３は、パラメータ設定画面上で操作者によって設定された第１パラメータを、パラメータ記憶部１１４に記憶する。ここで、複数の処理について第１パラメータが設定される場合、パラメータ設定部１１３は、それぞれの処理毎に第１パラメータをパラメータ記憶部１１４に記憶する。例えば、パラメータ設定部１１３は、スキャン処理で用いられる第１パラメータと、印刷処理で用いられる第１パラメータとをそれぞれ、パラメータ記憶部１１４に記憶する。
【００３５】
パラメータ記憶部１１４は、操作者によって設定された第１パラメータを記憶する記憶部である。ここで、複数の処理について第１パラメータが設定される場合には、それぞれの処理と第１パラメータとが対応付けて記憶される。例えば、スキャン処理とスキャン処理用の第１パラメータとが対応付けて記憶される。また、例えば、印刷処理と印刷処理用の第１パラメータとが対応付けて記憶される。
【００３６】
第１パラメータ取得部１１５は、パラメータ記憶部１１４から第１パラメータを取得する。ここで、第１パラメータ取得部１１５は、例えば、画像処理装置１００において予め定められた処理を実行する際に、パラメータ記憶部１１４から第１パラメータを取得する。また、複数の処理について第１パラメータが設定される場合、第１パラメータ取得部１１５は、操作者等により選択された処理に対応する第１パラメータを、パラメータ記憶部１１４から取得する。
【００３７】
第２パラメータ取得部１１６は、情報管理サーバ３００から第２パラメータを取得する。ここで、第２パラメータ取得部１１６は、例えば、画像処理装置１００において予め定められた処理を実行する際に、情報管理サーバ３００から第２パラメータを取得する。また、複数の処理について第２パラメータが設定される場合、第２パラメータ取得部１１６は、操作者等により選択された処理に対応する第２パラメータを、情報管理サーバ３００から取得する。
【００３８】
実行制御部１１７は、予め定められた処理を実行する制御を行う。ここで、実行制御部１１７は、予め定められた処理を行う際のパラメータとして、第１パラメータ又は第２パラメータの何れかのパラメータを選択する。そして、実行制御部１１７は、選択したパラメータを基に予め定められた処理を実行するように制御する。より具体的には、実行制御部１１７は、選択したパラメータを初期値として、初期値から変更された変更後のパラメータにより予め定められた処理を実行するように制御する。例えば、スキャン処理を行う場合、実行制御部１１７は、第１パラメータ（又は第２パラメータ）を初期値として選択し、この初期値から変更された変更後のパラメータによってスキャン処理を行うように、画像読取部１４０に対して指示を行う。
【００３９】
付言すると、例えば、実行制御部１１７は、パラメータ記憶部１１４に第１パラメータが記憶されているか否かに基づいて、第１パラメータ又は第２パラメータの何れかのパラメータを選択する。より具体的には、第１パラメータがパラメータ記憶部１１４に記憶されている場合、言い換えると、第１パラメータ取得部１１５がパラメータ記憶部１１４から第１パラメータを取得した場合、実行制御部１１７は、第１パラメータを初期値として、予め定められた処理を実行するように制御する。一方、第１パラメータがパラメータ記憶部１１４に記憶されていない場合、言い換えると、第１パラメータ取得部１１５がパラメータ記憶部１１４から第１パラメータを取得しない場合、実行制御部１１７は、第２パラメータを初期値として、予め定められた処理を実行するように制御する。
【００４０】
また、例えば、予め定められた処理を実行する際のパラメータとして、第１パラメータ又は第２パラメータの何れのパラメータを利用するかを、操作者の選択によって決定してもよい。より具体的には、第１パラメータを利用することが操作者に選択されている場合、実行制御部１１７は、第１パラメータを初期値として、予め定められた処理を実行するように制御する。一方、第２パラメータを利用することが操作者に選択されている場合、実行制御部１１７は、第２パラメータを初期値として、予め定められた処理を実行するように制御する。
【００４１】
そして、図４に示す画像処理装置１００を構成する各機能部は、ソフトウェアとハードウェア資源とが協働することにより実現される。具体的には、画像処理装置１００を図２に示したハードウェア構成にて実現した場合、例えば、ＲＯＭ１１０ｃに格納されているＯＳのプログラムやアプリケーション・プログラムが、ＲＡＭ１１０ｂに読み込まれてＣＰＵ１１０ａに実行されることにより、操作受付部１１１、表示制御部１１２、パラメータ設定部１１３、第１パラメータ取得部１１５、第２パラメータ取得部１１６、実行制御部１１７等の各機能部が実現される。また、パラメータ記憶部１１４は、例えば、ＨＤＤ１２０により実現される。
【００４２】
なお、本実施の形態では、第１取得手段の一例として、第１パラメータ取得部１１５が用いられる。また、第２取得手段の一例として、第２パラメータ取得部１１６が用いられる。さらに、実行手段の一例として、画像読取部１４０、実行制御部１１７が用いられる。そして、受付手段の一例として、操作受付部１１１が用いられる。また、表示手段の一例として、表示制御部１１２が用いられる。
【００４３】
＜スキャン処理を行う場合の実施例＞
第１パラメータや第２パラメータを用いて行われる処理としては、例えば、スキャン機能、プリント機能、コピー機能及びファクシミリ機能等、画像処理装置１００で行われる各種の処理が例示される。以下では、第１パラメータや第２パラメータを用いて行われる処理がスキャン処理の場合、即ち、第１パラメータ及び第２パラメータがスキャンパラメータである場合を例に挙げて説明する。
【００４４】
（情報管理サーバの階層構造の例）
本実施例において、画像処理装置１００は、スキャン処理によって画像データを生成すると、生成した画像データを情報管理サーバ３００に送信する。送信された画像データは、情報管理サーバ３００にて保存される。情報管理サーバ３００では、画像データを格納するフォルダが階層的に構成されており、画像処理装置１００が生成した画像データは、操作者が選択したフォルダに格納される。なお、情報管理サーバ３００のフォルダは、ネットワーク４００に接続された全ての画像処理装置１００で共通に用いられる領域であり、各画像処理装置１００によるスキャン処理結果の画像データが格納される。
【００４５】
図５は、情報管理サーバ３００に画像データを格納する際の階層構造の一例について示した図である。
図示する階層構造は、上位１層目〜２層目の２層がフォルダであり、最下層の３層目に画像データＤｊが格納されることを示している。
【００４６】
このうち最も上位のフォルダＨ１は、例えば、情報管理サーバ３００を使用する操作者の契約単位毎に設定されるフォルダである。このフォルダＨ１は、操作者が会社である場合、例えば、１つの会社の部署毎に設定される。この例では、フォルダＨ１が２つ設定され、それぞれの名称が、「ＡＡＡ」、「ＢＢＢ」であることを示している。
【００４７】
次に上位の２層目のフォルダＨ２は、フォルダＨ１をさらに細分化して設定されるフォルダである。このフォルダＨ２は、例えば、フォルダＨ１が１つの会社の部署毎に設定された場合、部署内に設けられた部門毎に設定される。また例えば、１つの部署のアクセス権毎に設定することができる。またここでは、名称が「ＡＡＡ」のフォルダＨ１の下位に、名称が「ＣＣＣ」、「ＤＤＤ」のフォルダＨ２が設けられる。また、名称が「ＢＢＢ」のフォルダＨ１の下位に、名称が「ＥＥＥ」のフォルダＨ２が設けられる。
【００４８】
さらに、２層目のフォルダＨ２の下位の３層目に、画像データＤｊが格納される。この場合、名称が「ＣＣＣ」のフォルダＨ２の下位に、名称が「ＦＦＦ」、「ＧＧＧ」の画像データＤｊが格納される。同様に、名称が「ＤＤＤ」のフォルダＨ２の下位に、名称が「ＨＨＨ」、「ＩＩＩ」の画像データＤｊが格納され、名称が「ＥＥＥ」のフォルダＨ２の下位に、名称が「ＪＪＪ」、「ＫＫＫ」の画像データＤｊが格納される。
【００４９】
なお２層目のフォルダＨ２のさらに下位の３層目に、さらにフォルダを設け、このフォルダ中に画像データＤｊを格納することもできる。
【００５０】
そして、本実施例では、第２パラメータは、最も上位のフォルダＨ１毎に設定され、且つネットワーク４００に接続された全ての画像処理装置１００単位に設定される。即ち、第２パラメータは、画像処理装置１００ａ、１００ｂ、１００ｃの何れの画像処理装置１００にも共通のパラメータとなる。よって、スキャンした画像データの格納先をフォルダＨ１として、第２パラメータを利用する場合、画像処理装置１００ａ、１００ｂ、１００ｃの何れの画像処理装置１００でスキャン処理を行うとしても、共通の初期値が使用される。
【００５１】
一方で、本実施例では、第１パラメータは、最も上位のフォルダＨ１毎に設定され、且つ画像処理装置１００単位に設定される。即ち、スキャンした画像データの格納先をフォルダＨ１として、第１パラメータを利用する場合、画像処理装置１００ａ、１００ｂ、１００ｃのそれぞれの画像処理装置１００で設定された個別の初期値が使用される。
【００５２】
（第１パラメータの設定手順の説明）
次に、画像処理装置１００において第１パラメータを設定する処理手順について説明する。図６は、画像処理装置１００において第１パラメータを設定する処理手順の一例を示したフローチャートである。この例では、初期状態として画像処理装置１００のディスプレイにログイン画面が表示され、操作者がログインすることによって、スキャン処理についてのソフトウェアが起動される。
【００５３】
まず、操作受付部１１１が操作者からの操作を受け付けて、ログインが行われる（ステップ１０１）。ここでは、例えば、操作者がユーザＩＤやパスワードを入力することによって認証が行われる。そして、操作者によって入力された情報と予め記憶された情報とが一致すれば認証が成功し、ログインが行われる。なお、ユーザＩＤとは、操作者を識別するために操作者毎に予め付与されたＩＤ（識別子）である。
【００５４】
次に、第２パラメータ取得部１１６は、情報管理サーバ３００から第２パラメータを取得する（ステップ１０２）。次に、表示制御部１１２は、第１パラメータの設定を受け付ける画面であるパラメータ設定画面を表示する（ステップ１０３）。ここでは、操作受付部１１１が、パラメータ設定画面を表示する操作を操作者から受け付けることにより、表示制御部１１２がパラメータ設定画面を表示する。次に、パラメータ設定部１１３は、パラメータ設定画面において、第１パラメータを設定することが選択されたか否かを判定する（ステップ１０４）。
【００５５】
ステップ１０４では、例えば、パラメータ設定画面において、予め定められた処理で第１パラメータを利用することが選択されている場合、パラメータ設定部１１３は、第１パラメータを設定することが選択された（ステップ１０４でＹｅｓ）と判定する。一方、パラメータ設定画面において、予め定められた処理で第２パラメータを利用することが選択されている場合、パラメータ設定部１１３は、第１パラメータを設定することが選択されていない（ステップ１０４でＮｏ）と判定する。
【００５６】
ステップ１０４で否定の判断（Ｎｏ）がされた場合、表示制御部１１２は、パラメータ設定画面において、ステップ１０２において第２パラメータ取得部１１６が取得した第２パラメータを表示する（ステップ１０５）。次に、操作受付部１１１がパラメータ設定画面を閉じる操作を受け付けると（ステップ１０６）、パラメータ設定部１１３は、パラメータ記憶部１１４に第１パラメータが記憶されているか否かを判定する（ステップ１０７）。
【００５７】
ステップ１０７で否定の判断（Ｎｏ）がされた場合、本処理フローは終了する。一方、ステップ１０７で肯定の判断（Ｙｅｓ）がされた場合、パラメータ設定部１１３は、パラメータ記憶部１１４に記憶されている第１パラメータを削除する（ステップ１０８）。そして、本処理フローは終了する。
【００５８】
また、ステップ１０４で肯定の判断（Ｙｅｓ）がされた場合、操作受付部１１１は、パラメータ設定画面において、第１パラメータを設定する操作を受け付ける（ステップ１０９）。次に、操作受付部１１１がパラメータ設定画面を閉じる操作を受け付けると（ステップ１１０）、パラメータ設定部１１３は、ステップ１０９で操作者によって設定された第１パラメータを、パラメータ記憶部１１４に記憶する（ステップ１１１）。そして、本処理フローは終了する。
【００５９】
また、図６に示す例では、ステップ１０７で肯定の判断（Ｙｅｓ）がされた場合、パラメータ設定部１１３が第１パラメータを削除することとしたが、第１パラメータを削除する構成に限られない。さらに説明すると、図６に示す例では、第２パラメータを利用することが選択されている場合には、第１パラメータは不要であるため、ステップ１０８において第１パラメータを削除した。ただし、第２パラメータを利用することが選択されている場合であっても、第１パラメータを削除せずに、そのままパラメータ記憶部１１４に記憶しておいてもよい。
【００６０】
（スキャン処理の実行手順の説明）
次に、画像処理装置１００においてスキャン処理を実行する際の実行手順について説明する。図７は、画像処理装置１００におけるスキャン処理の実行手順の一例を示したフローチャートである。この例でも、図６に示す場合と同様に、初期状態として画像処理装置１００のディスプレイにログイン画面が表示され、操作者がログインすることによって、スキャン処理についてのソフトウェアが起動される。
【００６１】
まず、図６のステップ１０１と同様に、操作受付部１１１が操作者からの操作を受け付けて、ログインが行われる（ステップ２０１）。次に、第２パラメータ取得部１１６は、情報管理サーバ３００から第２パラメータを取得する（ステップ２０２）。次に、表示制御部１１２は、スキャン処理の実行を受け付ける画面である処理実行画面を表示する（ステップ２０３）。ここでは、操作受付部１１１が、処理実行画面を表示する操作を操作者から受け付けることにより、表示制御部１１２が処理実行画面を表示する。
【００６２】
次に、実行制御部１１７は、パラメータ記憶部１１４に第１パラメータが記憶されているか否かを判定する（ステップ２０４）。ステップ２０４で肯定の判断（Ｙｅｓ）がされた場合、表示制御部１１２は、パラメータ記憶部１１４に記憶されている第１パラメータを表示する（ステップ２０５）。一方、ステップ２０４で否定の判断（Ｎｏ）がされた場合、表示制御部１１２は、ステップ２０２で第２パラメータ取得部１１６が取得した第２パラメータを表示する（ステップ２０６）。
【００６３】
ステップ２０５の後、又はステップ２０６の後、操作受付部１１１は、表示されているパラメータ（第１パラメータ又は第２パラメータ）を変更する処理を受け付ける（ステップ２０７）。次に、操作受付部１１１がスキャン処理を実行する操作を受け付けると（ステップ２０８）、実行制御部１１７は、変更後のパラメータによってスキャン処理を実行するように制御する（ステップ２０９）。そして、本処理フローは終了する。
【００６４】
また、図７に示す例では、ステップ２０４において、実行制御部１１７がパラメータ記憶部１１４に第１パラメータが記憶されているか否かを判定したが、このような構成に限られない。図７に示す例は、第２パラメータを利用する場合には、図６のステップ１０８の処理により、パラメータ記憶部１１４に記憶されている第１パラメータを削除することを前提とするものである。即ち、第１パラメータがパラメータ記憶部１１４に記憶されている場合に第１パラメータを利用し、第１パラメータがパラメータ記憶部１１４に記憶されていない場合に第２パラメータを利用するものである。
【００６５】
一方で、上述したように、第２パラメータを利用する場合であっても、第１パラメータを削除せずにそのままパラメータ記憶部１１４に記憶しておくことも考えられる。そこで、実行制御部１１７は、ステップ２０４において、第１パラメータが記憶されているか否かの判定ではなく、例えば、操作者によって第１パラメータ又は第２パラメータの何れのパラメータが選択されたか否かの判定を行うこととしてもよい。
【００６６】
この判定は、例えば、図６のステップ１０４と同様に、パラメータ設定画面において、第１パラメータを利用することが設定された（即ち、パラメータ設定画面上で第１パラメータを設定することが過去に選択されたことによって、第１パラメータを利用する設定が行われた）か否かによって行われる。第１パラメータを利用することが設定された場合、実行制御部１１７は、第１パラメータを初期値として、予め定められた処理を実行するように制御する。即ち、ステップ２０４で肯定の判断（Ｙｅｓ）がされ、第１パラメータが表示される（ステップ２０５）。一方、第２パラメータを利用することが設定された場合、実行制御部１１７は、第２パラメータを初期値として、予め定められた処理を実行するように制御する。即ち、ステップ２０４で否定の判断（Ｎｏ）がされ、第２パラメータが表示される（ステップ２０６）。
【００６７】
（第１パラメータの設定手順の具体例）
次に、画像処理装置１００において第１パラメータを設定する処理手順について、具体例を挙げて説明する。図８−１及び図８−２は、第１パラメータを設定する際に表示される画面の一例を示す図である。この例では、初期状態として、画像処理装置１００のディスプレイにログイン画面が表示される。
【００６８】
図８−１（ａ）に示すように、ログイン画面１１において、操作者が、ユーザＩＤ、パスワードを入力してログインボタン１２を選択すると、認証が行われる。認証が成功するとログインが行われ、図８−１（ｂ）に示すフォルダ一覧画面１３が表示される。ここでは、最も上位のフォルダＨ１が一覧で表示される。
また、ログインが行われると、第２パラメータ取得部１１６は、情報管理サーバ３００から第２パラメータを取得する。ここで、第２パラメータ取得部１１６は、フォルダ一覧画面１３に示されたフォルダＨ１毎に第２パラメータを取得する。
【００６９】
次に、フォルダ一覧画面１３上で操作者がフォルダＨ１「ＡＡＡ」を選択すると、図８−２（ｃ）に示すように、選択されたフォルダＨ１「ＡＡＡ」配下のフォルダＨ２の一覧画面１４が表示される。また、フォルダＨ２の一覧画面１４には、フォルダ管理のための設定を受け付ける管理アイコン１５が表示される。操作者がこの管理アイコン１５を選択すると、複数の項目が表示される。複数の項目には、第１パラメータを設定する項目として、「スキャン初期値設定」の項目１６が含まれる。操作者がこの「スキャン初期値設定」の項目１６を選択することで、図８−２（ｄ）に示すように、パラメータ設定画面１７が表示される。
【００７０】
図８−２（ｄ）のパラメータ設定画面１７において、操作者が領域１９を選択すると、「サーバ設定を利用」の項目２０と、「機械毎に設定する」の項目２１とがプルダウン形式で表示される。操作者は、２つの項目のうちの何れか一方の項目を選択することができる。ここで、操作者が項目２１を選択すると、第１パラメータを利用すること、即ち、第１パラメータを設定することが選択される。この場合、パラメータ設定画面１７において、操作者が選択したフォルダＨ１「ＡＡＡ」の第１パラメータとして、各種項目が設定可能になる。一方、操作者が項目２０を選択すると、第２パラメータを利用すること、即ち、第１パラメータを設定しないことが選択される。この場合、パラメータ設定画面１７には、情報管理サーバ３００から取得した第２パラメータ、即ち、フォルダＨ１「ＡＡＡ」の第２パラメータが表示される。
【００７１】
なお、「サーバ設定を利用」の項目２０又は「機械毎に設定する」の項目２１の何れか選択するかについては、例えば、フォルダＨ１単位で行われる。この場合、第１パラメータ又は第２パラメータの何れのパラメータを利用するかの設定が、フォルダＨ１単位で行われることになる。
【００７２】
さらに説明すると、図８−２（ｄ）のパラメータ設定画面１７では、第１パラメータの各種項目として、「ファイル名」、「出力ファイル形式」、「カラーモード」、「原稿セット向き指定」、「読み取りサイズ」、「読み取り解像度」、「両面原稿送り」、「地色除去」、「裏写り防止」、「高圧縮（ＭＲＣ）」という項目が表示される。
【００７３】
「ファイル名」とは、スキャン処理によって生成される画像データに付けられる名称である。この例では、操作者がファイル名欄に文字列を入力することで、その文字列に日時を付加したものが、画像データの名称として設定される。「出力ファイル形式」とは、スキャン処理によって生成される画像データのファイル形式である。例えば、ＰＤＦ（Portable Document Format）が例示される。「カラーモード」とは、画像読み取りにおける色（画質）の設定である。「原稿セット向き指定」とは、スキャン処理の際にセットされる原稿の向きを指定するものである。
【００７４】
「読み取りサイズ」とは、読み取る原稿のサイズを指定するものであり、例えば、Ａ４、Ａ５等が例示される。「読み取り解像度」とは、画像読み取りの解像度である。「両面原稿送り」とは、原稿の両面を読み取るか、又は原稿の片面のみを読み取るかの設定である。「地色除去」とは、色地原稿など原稿の下地（背景）の色を除いてスキャン処理を行うか否かの設定である。「裏写り防止」とは、両面プリントしている原稿などをスキャン処理する場合に、原稿の裏が写り込まないように処理するか否かの設定である。「高圧縮（ＭＲＣ）」とは、スキャン処理によって生成された画像データの圧縮率の設定である。
【００７５】
なお、図８−２（ｄ）に示す例は、「機械毎に設定する」の項目１９が選択された状態を示しており、各種項目には、操作者の入力によって設定された値が表示されている。ここで、第１パラメータについて、各種項目のデフォルト値を予め定めておくこととしてもよい。この場合、パラメータ設定画面１７には、各種項目のデフォルト値が表示され、操作者が必要に応じてデフォルト値を変更することによって、第１パラメータが設定される。
【００７６】
（第２パラメータの設定手順の具体例）
次に、情報管理サーバ３００において第２パラメータを設定する処理手順について、具体例を挙げて説明する。図９−１及び図９−２は、第２パラメータを設定する際に表示される画面の一例を示す図である。
【００７７】
操作者が操作端末２００を操作して情報管理サーバ３００にアクセスすると、操作端末２００のディスプレイに、図９−１（ａ）に示すログイン画面３１が表示される。ここで、図８−１（ａ）に示す例と同様に、操作者がユーザＩＤ、パスワードを入力してログインボタン３２を選択すると、認証が行われる。認証が成功するとログインが行われ、図９−１（ｂ）に示すフォルダ一覧画面３３が表示される。ここでは、最も上位のフォルダＨ１が一覧で表示される。
【００７８】
次に、操作者は、フォルダ一覧画面３３上で、第２パラメータの設定対象とするフォルダＨ１を選択する。ここで、操作者がフォルダＨ１「ＡＡＡ」を選択すると、図９−１（ｃ）に示すように、選択されたフォルダＨ１「ＡＡＡ」配下のフォルダＨ２の一覧画面３４が表示される。また、フォルダＨ２の一覧画面３４には、フォルダ管理のための設定を受け付ける管理ボタン３５が含まれる。操作者がこの管理ボタン３５を選択すると、複数の管理項目を有する管理画面３６（図９−２（ｄ）参照）が表示される。複数の管理項目には、第２パラメータを設定するための項目として、「複合機連携」の項目３７が含まれる。
【００７９】
操作者がこの「複合機連携」の項目３７を選択することで、図９−２（ｄ）に示すように、第２パラメータの内容が表示される。ここで、「ファイル名」、「読み取り解像度」等の第２パラメータの各種項目は、図８−２（ｄ）に示す第１パラメータの各種項目と同じものである。付言すると、ここで表示される第２パラメータは、フォルダＨ１「ＡＡＡ」の第２パラメータである。図９−２（ｄ）に示す例では、第２パラメータとして、例えば、「ファイル名」が「ｓｃａｎ＋日時」、「読み取り解像度」が「２００ｄｐｉ」等の内容が表示されている。
【００８０】
なお、ここで表示される第２パラメータは、操作者が過去に設定した値や、第２パラメータにおいて予め定められたデフォルト値である。ただし、操作者がまだフォルダＨ１「ＡＡＡ」の第２パラメータを設定していない場合には、デフォルト値を表示してもよいし、各種項目が未設定の状態であるものとしてもよい。
【００８１】
次に、操作者が設定変更ボタン３８を選択すると、図９−２（ｅ）に示す画面３９が表示される。この画面３９では、図８−２（ｄ）のパラメータ設定画面１７と同様の項目の設定が可能である。画面３９上で操作者が各種項目の設定を行うと、操作者が選択したフォルダＨ１「ＡＡＡ」について、第２パラメータが設定される。
【００８２】
（スキャン処理の実行手順の具体例）
次に、画像処理装置１００においてスキャン処理を実行する際の実行手順について、具体例を挙げて説明する。図１０−１及び図１０−２は、スキャン処理を実行する際に表示される画面の一例を示す図である。この例では、初期状態として、画像処理装置１００のディスプレイにログイン画面が表示される。
【００８３】
図１０−１（ａ）に示すログイン画面１１では、図８−１（ａ）に示す例と同様に、認証が成功するとログインが行われ、図１０−１（ｂ）に示すフォルダ一覧画面１３が表示される。ここでは、図８−１（ｂ）に示す例と同様に、最も上位のフォルダＨ１が一覧で表示される。
また、ログインが行われると、第２パラメータ取得部１１６は、情報管理サーバ３００から第２パラメータを取得する。ここで、第２パラメータ取得部１１６は、フォルダ一覧画面に示されたフォルダＨ１毎に第２パラメータを取得する。
【００８４】
次に、操作者は、フォルダ一覧画面１３上で、スキャン処理により生成された画像データの格納先とするフォルダＨ１を選択する。ここで、フォルダ一覧画面１３上で操作者がフォルダＨ１「ＡＡＡ」を選択すると、図１０−１（ｃ）に示すフォルダＨ２の一覧画面１４が表示される。ここでは、図８−２（ｃ）に示す例と同様に、選択されたフォルダＨ１「ＡＡＡ」配下のフォルダＨ２が一覧で表示される。そして、操作者は、フォルダＨ２の一覧画面１４上で、さらに、画像データの格納先とするフォルダＨ２を選択する。
【００８５】
ここで、フォルダＨ２の一覧画面１４上で操作者がフォルダＨ２「ＣＣＣ」を選択すると、図１０−２（ｄ）に示すように、選択されたフォルダＨ２「ＣＣＣ」の内容一覧画面２２が表示される。この内容一覧画面２２では、フォルダＨ２「ＣＣＣ」内に存在するファイルやフォルダが一覧で表示される。なお、操作者は、スキャン処理により生成された画像データを、フォルダＨ２「ＣＣＣ」内ではなく、例えばフォルダＨ２配下のフォルダ内に格納したい場合には、内容一覧画面２２上で、画像データの格納先とするフォルダを選択すればよい。
【００８６】
画像データの格納先をフォルダＨ２「ＣＣＣ」にする場合、内容一覧画面２２において、操作者がスキャン設定ボタン２３を選択すると、図１０−２（ｅ）に示すように、スキャン処理の実行を受け付ける画面である処理実行画面２４が表示される。ここで、実行制御部１１７は、例えば、パラメータ記憶部１１４に第１パラメータが記憶されているか否かを判定する。パラメータ記憶部１１４に第１パラメータが記憶されている場合、処理実行画面２４には第１パラメータが表示される。一方、パラメータ記憶部１１４に第１パラメータが記憶されていない場合、処理実行画面２４には、第２パラメータ取得部１１６が情報管理サーバ３００から取得した第２パラメータが表示される。図１０−２（ｅ）に示す例では、第１パラメータが表示されている。
【００８７】
次に、操作者が、処理実行画面２４において必要に応じて各種項目の値を変更した後、スキャン開始ボタン２５を選択すると、変更後のパラメータによってスキャン処理が実行される。そして、スキャン処理により生成された画像データは、ネットワーク４００を介して情報管理サーバ３００に送信され、操作者が格納先として選択したフォルダＨ２「ＣＣＣ」に格納される。
【００８８】
このようにして、画像処理装置１００において第１パラメータの設定が行われ、情報管理サーバ３００において第２パラメータの設定が行われる。また、画像処理装置１００は、設定された第１パラメータ又は第２パラメータを基にスキャン処理を実行する。
【００８９】
以上説明したように、本実施の形態に係る画像処理装置１００は、スキャン処理等の予め定められた処理を実行する際の条件として、画像処理装置１００毎に設定される第１パラメータを自装置から取得する。また、画像処理装置１００は、第１パラメータとは異なる単位として、複数の画像処理装置１００毎に設定される第２パラメータを、情報管理サーバ３００から取得する。そして、画像処理装置１００は、第１パラメータ又は第２パラメータの何れかのパラメータを基に予め定められた処理を実行する。
【００９０】
例えば、スキャン処理を実行する際の条件として、ネットワーク４００に接続された全ての画像処理装置１００で一括して第２パラメータを設定する場合、操作者としては、どの画像処理装置１００でスキャンしても、共通の初期値を利用することができる。ただし、スキャン処理によって生成される画像データには様々な利用用途が考えられるため、例えば、画像データの画質を高くしたり、画像データのサイズを小さくしたり、利用用途に合わせて操作者が共通の初期値から変更することが考えられる。
【００９１】
そこで、本実施の形態に係る画像処理装置１００により、画像処理装置１００毎に設定される第１パラメータ及び複数の画像処理装置１００毎に設定される第２パラメータを基に予め定められた処理が行われることとなり、例えば、第２パラメータのみを取得する構成と比較して、予め定められた処理を実行する際の条件を変更する操作者の操作が軽減される。
【００９２】
＜第１パラメータ、第２パラメータの他の例＞
上述した例では、第１パラメータを画像処理装置１００毎に設定し、第２パラメータをネットワーク４００に接続された全ての画像処理装置１００に対して設定した。その際、第１パラメータ及び第２パラメータをフォルダＨ１毎に設定したが、本実施の形態ではこのような構成に限られない。例えば、第１パラメータについて、フォルダＨ２やフォルダＨ２配下のフォルダに対して設定したり、どのフォルダに対しても共通のパラメータとして設定したりしてもよい。第２パラメータも同様に、フォルダＨ２やフォルダＨ２配下のフォルダに対して設定したり、どのフォルダに対しても共通のパラメータとして設定したりしてもよい。ここで、第１パラメータをフォルダＨ２毎に設定し、第２パラメータをフォルダＨ１毎に設定するというように、第１パラメータと第２パラメータとで、設定するフォルダの階層（又はフォルダの種類等）を変えてもよい。
【００９３】
また、上述した例では、第２パラメータをネットワーク４００に接続された全ての画像処理装置１００に共通のパラメータとして設定したが、本実施の形態ではこのような構成に限られない。例えば、第２パラメータについて、ネットワーク４００に接続された全ての画像処理装置１００のうちの一部である複数の画像処理装置１００に共通の値として設定してもよい。この場合、操作者は、例えば、第２パラメータの設定手順において、第２パラメータの設定対象とする複数の画像処理装置１００を選択する操作を行う。
【００９４】
さらに、上述した例では、第２パラメータを複数の画像処理装置１００毎に設定し、第１パラメータを画像処理装置１００毎に設定したが、操作者を単位としてパラメータを設定してもよい。この場合、第２パラメータは、例えば、複数の操作者に共通の値として、複数の操作者毎に（即ち、複数の操作者単位で）設定される。一方、第１パラメータは、例えば、第２パラメータの設定単位である複数の操作者よりも少ない人数の操作者に対して設定される。より具体的には、第１パラメータは、例えば、各操作者の個別の値として（即ち、個別の操作者単位で）設定される。
【００９５】
このように、第１パラメータと第２パラメータとは、設定される単位（即ち、第１パラメータ、第２パラメータが適用される対象・集合体）が異なっており、設定される単位は、１又は複数の画像処理装置１００や、１又は複数の操作者等である。例えば、第１パラメータが適用される画像処理装置１００の数は、第２パラメータが適用される画像処理装置１００の数よりも少なくなるように設定される。また、例えば、第１パラメータが適用される操作者の数は、第２パラメータが適用される操作者の数よりも少なくなるように設定される。
ただし、本実施の形態において、第１パラメータが設定される単位は、第２パラメータが設定される単位よりも小さい構成に限られず、第１パラメータが設定される単位は、第２パラメータが設定される単位よりも大きくてもよい。
【００９６】
さらに、上述した例では、第１パラメータ又は第２パラメータの何れのパラメータを利用するかの設定は、フォルダＨ１単位で行われることとしたが、本実施の形態ではこのような構成に限られない。例えば、フォルダＨ２やフォルダＨ２の配下のフォルダに対して、第１パラメータ又は第２パラメータの何れのパラメータを利用するかの設定を行うようにしてもよい。また、第１パラメータ又は第２パラメータの何れのパラメータを利用するかの設定を、１台の画像処理装置１００に対して一括で設定したり、画像処理装置１００を操作する操作者毎に設定したりしてもよい。
【００９７】
また、本実施の形態において、第１パラメータの設定や第２パラメータの設定に権限を設けることとしてもよい。より具体的には、例えば、画像処理システム１の管理者に対して、第１パラメータ及び第２パラメータの設定権限が与えられる。また、第１パラメータの設定権限が付与される操作者と第２パラメータの設定権限が付与される操作者とが別の操作者であってもよい。例えば、画像処理システム１を利用する会社全体のシステム管理者には、第２パラメータの設定権限が付与される。一方、例えば、画像処理装置１００が設置される部署内のシステム管理者には、第１パラメータの設定権限が付与される。
【００９８】
さらに、第１パラメータ又は第２パラメータの何れのパラメータを利用するかの設定についても、設定権限を設けることとしてもよい。より具体的には、例えば、画像処理システム１の管理者に対して、第１パラメータ又は第２パラメータの何れのパラメータを利用するかの設定権限が与えられる。この場合、画像処理システム１の管理者ではない一般の操作者は、第１パラメータ又は第２パラメータの何れのパラメータを利用するかを選択することができず、管理者が行った設定に基づいて、第１パラメータ又は第２パラメータの何れかのパラメータが初期値として利用される。
【００９９】
さらに、上述した例では、第１パラメータや第２パラメータを基に処理を実行する画像処理装置１００として、いわゆる複合機を例に挙げて説明したが、このような構成に限られない。画像処理装置１００としては、データ処理を行う装置であればよく、例えば、ＰＣや携帯情報端末等の情報処理装置により、操作受付部１１１、表示制御部１１２、パラメータ設定部１１３、パラメータ記憶部１１４、第１パラメータ取得部１１５、第２パラメータ取得部１１６、実行制御部１１７等の画像処理装置１００の機能部を実現させることができる。
【０１００】
また、本実施の形態において、画像処理装置１００の処理を複数の情報処理装置で実現してもよい。この場合、画像処理装置１００の処理を実現する複数の情報処理装置は、情報処理システムの一例として捉えることができる。
【０１０１】
さらに、本発明の実施の形態を実現するプログラムは、通信手段により提供することはもちろん、ＣＤ−ＲＯＭ等の記録媒体に格納して提供することも可能である。
【０１０２】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【０１０３】
１００…画像処理装置、１１１…操作受付部、１１２…表示制御部、１１３…パラメータ設定部、１１４…パラメータ記憶部、１１５…第１パラメータ取得部、１１６…第２パラメータ取得部、１１７…実行制御部、１４０…画像読取部、３００…情報管理サーバ
【図１】
2019077071.tif 000003
【図２】
2019077071.tif 000004
【図３】
2019077071.tif 000005
【図４】
2019077071.tif 000006
【図５】
2019077071.tif 000007
【図６】
2019077071.tif 000008
【図７】
2019077071.tif 000009
【図８−１】
2019077071.tif 000010
【図８−２】
2019077071.tif 000011
【図９−１】
2019077071.tif 000012
【図９−２】
2019077071.tif 000013
【図１０−１】
2019077071.tif 000014
【図１０−２】
2019077071.tif 000015